(57)【要約】【課題】キッチンスケールにおいて、載台に計量対象部を載せたとき、また取り除いたときに、表示部が装置本体から自動的に出入するようにして、外観デザインを簡素化し、省スペース化を図る。さらに、調理における計量作業を円滑にするとともに、調理時の汚れの付着を防ぎ、調理の際における計量の利便性を高くする。【解決手段】ロードセル２が重量検知すると、ＣＰＵ４は、正転制御データを表示部材移動モータ８に送り、液晶表示ユニット５を機器本体１外部へ送り出して所定位置で停止させる。ここで使用者が、計量対象物を載台から取り除くと、ロードセル２による重量測定値がゼロになる。ここで所定時間（数秒）が経過した時点において、ＣＰＵ４は、逆転制御データを表示部材移動モータ８に送り、液晶表示ユニット５を機器本体１内部に引き込んで所定の収納位置に停止させる。【選択図】図１
0003174121.tif 000002
【実用新案登録請求の範囲】
【請求項１】
機器本体上部に設けられた計量対象物を載せる載台と、計量対象物の重量を検知するロードセルと、該ロードセルの検知結果をデジタルデータに変換する電気処理部と、該電気処理部からのデータを受けて前記検知結果をデジタル表示する表示部とを備えたキッチンスケールであって、
前記ロードセルで重量検知されたときに前記表示部を機器本体より外部に送り出し、重量がゼロとなりかつ所定時間経過した後に前記表示部を機器本体内部に引き込む電気処理を行うコントロール部と、前記コントロール部からの制御データを受けて、前記表示部の機器本体に対する出入駆動を行う駆動部と、
を設けたことを特徴とする出入可能な表示部を備えたキッチンスケール。
【考案の詳細な説明】
【技術分野】
【０００１】  本考案は、各種の食材などの重量を測定するキッチンスケールに関し、特に、その測定結果を表示する表示部が出入可能なキッチンスケールに関するものである。
【背景技術】
【０００２】  秤などの計量装置では、重量を量りたい物を載台に載置して重量測定し、載台周部の本体ケースに液晶表示部を設けて、その表示部に測定結果を表示するものが一般的である。そのため、表示部が本体ケースより突出し、その分、設置スペースが大きくなる。【０００３】  しかし、一般家庭で用いられる計量装置では小型化が求められている。特に、所謂、キッチンスケールなどは、台所や食卓にて用いられるため、さらなる小型化，省設置スペース化が求められる。【０００４】  そこで、特許文献１，２に記載されているように、不使用時などには計量装置の本体ケースに表示部を収納しておき、使用時に手動によって表示部を引き出すことができるようにした構造のものが知られている。
【先行技術文献】
【特許文献】
【０００５】
【特許文献１】特開２００６−２９８４３号公報
【特許文献２】意匠登録第１３３７９９５号公報
【考案の概要】
【考案が解決しようとする課題】
【０００６】  特許文献１，２に記載された手動により引き出すようにした計量装置では、省スペース化と外観デザインが簡素化されたものになるという点で有利である。【０００７】  しかし、使用する際には、使用者が必ず表示部を手動で引き出さなくてはならない。このため計測作業が予め定められた通りで行われれば支障なく、表示部を引き出すことは可能である。【０００８】  しかしながら、例えば、家庭内で調理を行っている使用者が、キッチンスケールなどを用いて食材などの重量を測定したいとき、特に調理を行っている途中において測定したいが、手に台所用具などを持っているときには、表示部を引き出すことは容易ではない。【０００９】  さらに、手が汚れた状態で表示部の引き出し、及び押し込み作業を行うことは、表示部と、表示部周部の装置本体を汚してしまい、クリーニングなどの後処理が必要になってしまう。【００１０】  そこで、本考案は、載台に計量対象部を載せたとき、また載台から計量対象部を取り除いたときに、表示部が装置本体から自動的に出入するようにして、外観デザインを簡素化してシンプルなものにし、省スペース化を図り、さらに調理における計量作業を円滑にするとともに、調理時の汚れの付着などを防ぐなど、調理の際における計量の利便性を高くしたキッチンスケールを提供することを目的とする。
【課題を解決するための手段】
【００１１】  前記目的を達成するため、本考案に係る出入可能な表示部を備えたキッチンスケールは、機器本体上部に設けられた計量対象物を載せる載台と、計量対象物の重量を検知するロードセルと、該ロードセルの検知結果をデジタルデータに変換する電気処理部と、該電気処理部からのデータを受けて前記検知結果をデジタル表示する表示部とを備えたキッチンスケールであって、前記ロードセルで重量検知されたときに前記表示部を機器本体より外部に送り出し、重量がゼロとなりかつ所定時間経過した後に前記表示部を機器本体内部に引き込む電気処理を行うコントロール部と、前記コントロール部からの制御データを受けて、前記表示部の機器本体に対する出入駆動を行う駆動部とを設けたことを特徴とする。
【考案の効果】
【００１２】  本考案に係る出入可能な表示部を備えたキッチンスケールによれば、使用者が表示部を出し／入れ作業を行う必要がなく、計量時に計量対象物を載台に載せると表示部が自動的に機器本体から出て、計量後に計量対象物を載台から取り除くと表示部が自動的に機器本体内へ引き込まれるため、必要時にのみ表示部が機器本体から露出することになるため、通常時の外観デザインが簡素化されてシンプルなものになり、省スペース化が図れる。【００１３】  さらに、使用者においては、調理における計量作業が円滑かつ楽になり、また、表示部を手で触る必要がないため、調理時の汚れの付着を防ぐことができ、長期にわたって表示部を奇麗な状態に保つことができるなど、キッチンスケールによる計量の利便性が向上する。
【図面の簡単な説明】
【００１４】
【図１】本考案に係るキッチンスケールの実施形態の載台を取り除いて内部構成を示す平面図である。
【図２】本実施形態における計量制御系のブロック図である。
【図３】本実施形態における計量動作に係るフローチャートである。
【図４】本実施形態における計量表示時の状態を示す平面図である。
【考案を実施するための形態】
【００１５】  以下、本考案に係るキッチンスケールの好適な実施形態を図面に基づいて説明する。
【００１６】  図１は本実施形態のキッチンスケールの内部構成を示す平面図であり、１は上部に計量対象物を載せる載台（図示せず）が設けられる機器本体、２は機器本体１の４隅に設けられて載台上の計量対象物の重量を検知する公知のロードセル、３は、ＣＰＵ（中央演算処理ユニット）４及び電気／電子部品などから構成され、ロードセル２にて検知された検知結果をデジタルデータに変換する電気処理部、５は電気処理部３からのデータを受けて重量結果をデジタル表示する表示部材の液晶表示ユニットである。
【００１７】  ６は、液晶表示ユニット５を受け部６ａにて保持し、一側部に送り歯部６ｂが形成され、機器本体１に液晶表示ユニット５と共に摺動自在に設置されているユニット保持部材、７は、前記送り歯部６ｂと噛合する駆動ギヤ７ａと、駆動ギヤ７ａと噛合する中間ギヤ７ｂと、中間ギヤ７ｂと噛合する円柱状ギヤ７ｃとからなる表示部材駆動部を構成するギヤ群、８は出力軸８ａに前記円柱状ギヤ７ｃが設けられた表示部材移動モータである。
【００１８】  ９は、複数の電池９ａが収納され、電気処理部３と液晶表示ユニット５と表示部材移動モータ８とに電源供給する主電源部、１０はユニット保持部材６における機器本体１の内部／外部への摺動動作を案内する案内部材である。
【００１９】  図２は本実施形態における計量制御系の関連構成を示すブロック図であって、コントロール部であるＣＰＵ４を主体とする各部の動作制御に関して図３に示すフローチャートを参照して説明する。
【００２０】  図３において、主電源スイッチが投入されて本キッチンスケールが起動されると、ＣＰＵ４では、ロードセル２において重量検知されたか否かをウオッチする（Ｓ１）。キッチンスケールの載台に計量対象物が載置され、ロードセル２が重量検知すると（Ｓ１のＹＥＳ）、ＣＰＵ４は、制御データを送って表示部材移動モータ８を回転駆動（正転）させる（Ｓ２）。
【００２１】  表示部材移動モータ８の正転駆動力は、表示部材駆動部であるギヤ群７に伝達され、液晶表示ユニット５の送り歯部６ｂと噛合する駆動ギヤ７ａにより、液晶表示ユニット５と共にユニット保持部材６を、機器本体１の外方へ移動させ（送り出し）、機器本体１の一部である本体ケースから露出させ所定位置で停止させる（Ｓ３）。
【００２２】  図４に液晶表示ユニット５が本体ケースから露出した状態を示しており、載台１１に計量対象物Ａが載置されでおり、液晶表示ユニット５には、ロードセル２において重量検知された計量対象物Ａの重量測定値がデジタル表示（本例では１０グラムを表示している）される。
【００２３】  ここで、使用者が、計量対象物Ａの重量値を視認した後、計量対象物Ａを載台１１から取り除くと、ロードセル２による重量測定値がゼロになる（Ｓ４のＹＥＳ）。そして所定時間（数秒）が経過した時点において（Ｓ５のＹＥＳ）、ＣＰＵ４は、制御データを送って表示部材移動モータ８を回転駆動（逆転）させる（Ｓ６）。
【００２４】  表示部材移動モータ８の逆転駆動力は、表示部材駆動部であるギヤ群７に伝達され、液晶表示ユニット５の送り歯部６ｂと噛合する駆動ギヤ７ａにより、液晶表示ユニット５と共にユニット保持部材６を、機器本体１の内方へ移動させ（引き込み）、本体ケース内部の所定の収納位置に停止させる（Ｓ７）。
【産業上の利用可能性】
【００２５】  本考案は、使用者が対象物を直接載せることで、その重量を測定する家庭用計量装置に適用して有効である。
【符号の説明】
【００２６】１  機器本体
２  ロードセル
３  電気処理部
４  ＣＰＵ（中央演算処理ユニット）
５  液晶表示ユニット
６  ユニット保持部材
７  ギヤ群（表示部材駆動部）
８  表示部材移動モータ
９  主電源部
１０  案内部材
１１  載台
【図１】
0003174121.tif 000003
【図２】
0003174121.tif 000004
【図３】
0003174121.tif 000005
【図４】
0003174121.tif 000006